(57)【特許請求の範囲】
【請求項１】
発呼者電話番号検出器と、
複数の発呼者の名前の音声信号とそれに続く第１の付加音声信号、家族名の音声信号とそれに続く第２の付加音声信号、番号の音声信号とそれに続く第３の付加音声信号とが予め記憶されていると共に、該複数の名前または家族名または番号の音声信号から任意に選択した音声信号に対応させて、任意の発呼者電話番号を記憶し得る記憶手段と、
着信時に、上記発呼者電話番号検出器によって検出された発呼者電話番号が、上記記憶手段に記憶されている発呼者電話番号と一致するか否かを比較する比較手段と、
上記記憶手段から読出された音声信号が供給される電気−音響変換器とを有し、
上記比較手段によって、上記発呼者電話番号検出器によって検出された発呼者電話番号が、上記記憶手段に記憶されているある発呼者電話番号と一致することが検出されたときは、該ある発呼者電話番号に対応する名前または家族名または番号の音声信号と、それに続く上記何れかの付加音声信号とを連続して読出して、上記電気−音響変換器に供給するようにしたことを特徴とする電話装置。
【発明の詳細な説明】
【０００１】
【発明の属する技術分野】
本発明は、着信時の発呼者の電話番号を検出することのできる電話装置に関する。
【０００２】
【従来の技術】
従来の着信時の発呼者の電話番号を検出する発呼者電話番号検出器を有する電話装置において、使用者が、発呼者電話番号と、その発呼者の名前等の使用者による録音に基づく音声信号とを記憶手段に記憶させ、着信時に、発呼者電話番号検出器によって検出された発呼者電話番号が、記憶手段に記憶されている発呼者電話番号と一致したときは、記憶手段から、その一致した発呼者電話番号に対応する発呼者の名前の音声信号を読出してスピーカに供給して、その名前を放声させるようにした電話装置が提案されている。
【０００３】
【発明が解決しようとする課題】
しかしながら、かかる従来の電話装置は、発呼者の名前等の音声信号は、使用者の録音によるため、煩雑であると共に、録音する場所の雑音や、録音する人の発声音があまり良くないないために、綺麗で揃った音の名前の音声信号を録音するのは困難であった。
【０００４】
かかる点に鑑み、本発明は、電話の着信時に、記憶された発呼者電話番号と一致する発呼者電話番号が着信したときは、記憶された発呼者識別音声信号を読出して、電気−音響変換器に供給するようにした電話装置において、使用者が発呼者識別音声信号を録音する煩わしさがなく、綺麗で揃った音の発呼者識別音声信号を読出して、電気−音響変換器に供給することのできる電話装置を提案しようとするものである。
【０００５】
【課題を解決するための手段】
本発明は、発呼者電話番号検出器と、複数の発呼者の名前の音声信号とそれに続く第１の付加音声信号、家族名の音声信号とそれに続く第２の付加音声信号、番号の音声信号とそれに続く第３の付加音声信号とが予め記憶されていると共に、その複数の名前または家族名または番号の音声信号から任意に選択した音声信号に対応させて、任意の発呼者電話番号を記憶し得る記憶手段と、着信時に、発呼者電話番号検出器によって検出された発呼者電話番号が、記憶手段に記憶されている発呼者電話番号と一致するか否かを比較する比較手段と、記憶手段から読出された音声信号が供給される電気−音響変換器とを有し、比較手段によって、上記発呼者電話番号検出器によって検出された発呼者電話番号が、記憶手段に記憶されているある発呼者電話番号と一致することが検出されたときは、該ある発呼者電話番号に対応する名前または家族名または番号の音声信号と、それに続く何れかの付加音声信号とを連続して読出して、電気−音響変換器に供給するようにした電話装置である。
【０００６】
かかる本発明によれば、着信時に、比較手段によって、発呼者電話番号検出器によって検出された発呼者電話番号が、記憶手段に記憶されているある発呼者電話番号と一致していることが検出されたときは、記憶手段にされているそのある発呼者電話番号に対応する名前の音声信号とそれに続く付加音声信号を読出して、電気−音響変換器に供給する。
【０００７】
【発明の実施の形態】
本発明は、発呼者電話番号検出器と、複数の発呼者識別音声信号が予め記憶されていると共に、その複数の発呼者識別音声信号から任意に選択した発呼者識別音声信号と対応させて、任意の発呼者電話番号を記憶し得る記憶手段と、着信時に、発呼者電話番号検出器によって検出された発呼者電話番号が、記憶手段に記憶されている発呼者電話番号と一致するか否かを比較する比較手段と、記憶手段から読出された発呼者識別音声信号が供給される電気−音響変換器とを有し、比較手段によって、発呼者電話番号検出器によって検出された発呼者電話番号が、記憶手段に記憶されているある発呼者電話番号と一致することが検出されたときは、そのある発呼者電話番号に対応するある発呼者識別音声信号を読出して、電気−音響変換器に供給するようにした電話装置である。
【０００８】
本発明の電話装置において、複数の発呼者識別音声信号は音声合成手段によって合成された音声信号である。
【０００９】
本発明の電話装置において、発呼者識別音声信号は、その発呼者の名前の音声信号、その発呼者の家族名の音声信号、又はその発呼者の識別番号の音声信号が可能である。
【００１０】
〔発明の実施の形態の具体例〕
以下に、図面を参照して、本発明の実施の形態の電話装置の具体例を説明する。先ず、図１を参照して、その電話装置の構成を説明する。電話回線に接続される信号線Ｌ1 、Ｌ2 は、回線インターフェース１を通じて、ＤＳＰ（デジタル・シグナル・プロセッサ）にて構成するを可とする検出回路５に接続される。この検出回路は、発呼者電話番号検出、ＤＴＭＦ（Dual Tone Multi-frequency)信号検出、ダイヤルトーン検出、有音検出（有音信号検出）等を行う回路で、ここでは、発呼者電話番号検出を行う検出器６を特別に図示している。
【００１１】
この発呼者電話番号検出器６は、交換機から送信された発呼者電話番号信号を検出したとき、その検出信号を電話番号表示器７に供給して、発呼者電話番号を表示させると共に、その電話番号検出信号をシステム制御マイクロコンピュータ８に供給する。この場合、発呼者電話番号と、それに対応する発呼者の名前とが後述する記憶手段１０に、記憶されている場合は、発呼者の名前（例えば、片仮名書きの名前）が単独で、又は、発呼者電話番号と共に電話番号表示器７に表示される。
【００１２】
信号線Ｌ1 、Ｌ2 は、直接極性反転検出回路４に接続されると共に、コンデンサ３を介してベル検出器２に接続される。電話の着信時は、ベル検出器２によって、ベル音信号が検出され、その検出信号がマイクロコンピュータ８に供給される。又、電話の着信時は、信号線Ｌ1 、Ｌ2 の直流電圧の極性が反転するので、その極性の反転がこの極性反転検出回路４によって検出される。これら検出器２及び検出回路４の検出信号は、マイクロコンピュータ８に供給される。
【００１３】
次に発呼者電話番号及び発呼者識別音声信号記憶手段１０について説明する。この記憶手段１０は、書き換え可能な不揮発性メモリ、例えば、ＥＥＰＲＯＭ（Electrically Erasable and Programmable ROM :電気的消去型プログラム可能ＲＯＭ）、ＦＬＡＳＨＲＯＭ（Flash ROM:フラッシュＲＯＭ）等の不揮発性メモリから構成される。この記憶手段１０は、１個或いは複数個のＥＥＰＲＯＭ及び（又は）ＦＬＡＳＨＲＯＭにて構成し得る。又、この記憶手段１０を、発呼者電話番号記憶部と発呼者識別音声信号記憶部とに分け、発呼者電話番号記憶部を書き換え可能な不揮発性メモリ、例えば、ＥＥＰＲＯＭ及び（又は）ＦＬＡＳＨＲＯＭにて構成し、発呼者識別音声信号記憶部を書き換えの出来ない不揮発性メモリ（専用ＩＣメモリ）にて構成することもできる。
【００１４】
この記憶手段１０には、音声合成手段による発呼者識別音声信号が製造者によって予め記憶されている。この記憶手段１０の書き込み及び読み出しは、マイクロコンピュータ８によって制御される。この発呼者識別音声信号の例としては、日本国内で比較的多い多種類の姓（鈴木、佐藤等）の多数の音声信号、お父さん、お母さん、お兄さん、お姉さん等の家族名の音声信号、１番、２番、３番等の番号の音声信号が記憶されている。家族名の他に、親類、友達、知人等の略称、あだ名等の音声信号を記憶手段１０に書き込むことも可能である。
【００１５】
又、これらの発呼者識別音声信号の他に、姓の音声信号に対しては、これに続く「さんからお電話です」の付加音声信号、家族名の音声信号に対しては、これに続く「からお電話です」の付加音声信号、番号の音声信号に対しては、「の方からお電話です」の付加音声信号が、各発呼者識別音声信号毎の付加音声信号として、又は、各発呼者識別音声信号に共通な付加音声信号として、記憶手段１０に記憶されている。
【００１６】
又、この記憶手段１０には、ダイヤル釦等を操作して、発呼者電話番号（発呼者電話番号信号）を多数記憶させることができるが、マイクロコンピュータ８の制御の下に、記憶手段１０に予め記憶されている多数の発呼者識別音声信号から所望の音声信号を選択して、その発呼者電話番号と関係付けて、その発呼者電話番号を記憶手段１０に書き込む。
【００１７】
更に、記憶手段１０は、発呼者電話番号と共に、発呼者の名前（名前の表示信号）（名前のコード信号）を記憶させることができる。この発呼者の名前は、ユーザが、例えば、片仮名キーの操作によって、記憶手段１０に記憶させることができる。
【００１８】
電話の着信があると、これが、例えば、極性反転検出回路４によって検出され、発呼者電話番号検出器６によって、発呼者電話番号が検出されると、システム制御マイクロコンピュータ８の一致検出手段９によって、記憶手段１０に記憶されている多数の発呼者電話番号が順次に読み出されて、発呼者電話番号検出器６により検出された発呼者電話番号と一致するか否かの一致検出が行われる。
【００１９】
一致検出手段９によって、記憶手段１０から読み出された発呼者電話番号の中、発呼者電話番号検出器６により検出された発呼者電話番号と一致するある発呼者電話番号があると、マイクロコンピュータ８の制御によって、そのある発呼者電話番号に対応するある発呼者識別音声信号が読み出されて、低周波増幅器１１を通じて、スピーカ１２に供給されて、例えば、「○○さんからお電話です」（ここで、○○は姓を表す）が放声される。このとき、記憶手段１０に記憶されている発呼者の名前の表示信号が電話番号表示器７に供給されて、名前が片仮名書きで表示される。尚、名前と共に電話番号を表示させるようにしても良い。着信のあった発呼者電話番号が記憶手段１０に記憶されていない場合は、その発呼者電話番号のみが電話番号表示器７に表示される。
【００２０】
次に、図２のフローチャートを参照して、この具体例の電話装置の動作を説明する。ステップＳＴ−１では、極性反転検出回路４又はベル検出器２により、電話の着信があったか否かが判断され、ＮＯであれば終わりとなり、ＹＥＳであればステップＳＴ−２に移行する。
【００２１】
ステップＳＴ−２では、発呼者電話番号検出器６によって、発呼者電話番号の着信があったか否かの判断が行われ、ＮＯであれば終わりとなり、ＹＥＳであればステップＳＴ−３に移行する。
【００２２】
ステップＳＴ−３では、マイクロコンピュータ８の一致検出手段９によって、発呼者電話番号検出器６によって検出された発呼者電話番号が、記憶手段１０に記憶されている発呼者電話番号と一致したか否かの判断が行われ、ＮＯであればステップＳＴ−５に移行し、ＹＥＳであればステップＳＴ−４に移行する。
【００２３】
ステップＳＴ−４では、マイクロコンピュータ８による制御に基づいて、一致したある発呼者電話番号に対応するある発呼者識別音声信号を記憶手段１０から読み出して、スピーカ１２に供給する。更に、一致したある発呼者電話番号に対応する発呼者の名前（名前表示信号）を記憶手段１０から読み出して、電話番号表示器７に供給して、その発呼者の名前を表示させる。この場合に、発呼者の名前と共に、発呼者電話番号検出器６よりの発呼者電話番号信号に基づいて、発呼者電話番号をも表示させるようにしても良い。
【００２４】
ステップＳＴ−５では、発呼者電話番号検出器６からの発呼者電話番号信号を電話番号表示器７に供給して、発呼者電話番号を電話番号表示器７に表示させる。
【００２５】
尚、記憶手段１０に発呼者電話番号が記憶されているが、発呼者の名前が記憶されていないときは、発呼者電話番号検出器６よりの発呼者電話番号信号に基づいて、電話番号表示器７に発呼者電話番号を表示させるようにしても良い。
【００２６】
【発明の効果】
上述せる本発明によれば、使用者が発呼者識別音声信号を録音する煩わしさがなく、綺麗で揃った音の名前の音声信号とそれに続く付加音声信号を読出して、電気−音響変換器に供給することのできる電話装置を得ることができる。
【図面の簡単な説明】
【図１】本発明の実施の形態の具体例の電話装置を示すブロック線図である。。
【図２】図１の電話装置の動作説明に供するフローチャートである。
【符号の説明】
１…回線インターフェース、２…ベル検出器、３…コンデンサ、４…極性反転検出回路、５…検出回路（ＤＳＰ）、６…発呼者電話番号検出器、７…電話番号表示器、８…システム制御マイクロコンピュータ、９…一致検出手段、１０…発呼者電話番号及び発呼者識別音声信号記憶手段、１１…低周波増幅器、１２…スピーカ
【図１】
0003985328.tif 000002
【図２】
0003985328.tif 000003